(57)【要約】      （修正有）【課題】エアーチャンバが配設された船底に形成された複数の空気噴出孔から均一に空気を噴出することが可能な船体摩擦抵抗低減装置を提供する。【解決手段】気泡を発生させて船底５に気泡膜を形成することにより、航行する船体の摩擦抵抗を低減する船体摩擦抵抗低減装置において、船体内部の船底５に配設され、空気供給口２８が形成されたエアーチャンバ２２と、エアーチャンバ２２の底部となる船底５に列設して形成された複数の空気噴出孔１５と、エアーチャンバ２２の内部に設けられ、空気供給口２８と複数の空気噴出孔１５との間に介在させた拡散板３５と、を備え、拡散板３５は、少なくとも、空気供給口２８に対面する供給口対面領域と、複数の空気噴出孔１５の配列方向の両端部に位置する空気噴出孔１５に対面する一対の噴出孔対面領域と、を含むように形成されている。【選択図】図５
2010120609.tif 000002
【特許請求の範囲】
【請求項１】
気泡を発生させて船底に気泡膜を形成することにより、航行する船体の摩擦抵抗を低減する船体摩擦抵抗低減装置において、
前記船体内部の船底に配設され、空気供給口が形成されたエアーチャンバと、
前記エアーチャンバの底部となる前記船底に列設して形成された複数の空気噴出孔と、
前記エアーチャンバの内部に設けられ、前記空気供給口と前記複数の空気噴出孔との間に介在させた拡散板と、を備え、
前記拡散板は、少なくとも、前記空気供給口に対面する供給口対面領域と、前記複数の空気噴出孔の配列方向の両端部に位置する空気噴出孔に対面する一対の噴出孔対面領域と、を含むように形成されていることを特徴とする船体摩擦抵抗低減装置。
【請求項２】
前記拡散板は、前記供給口対面領域と、列設した全ての前記空気噴出孔に対面する全噴出孔対面領域と、を含むような方形の板状に形成され、
前記拡散板が配設された前記エアーチャンバの内部には、前記拡散板と前記エアーチャンバの内壁面との間に、配列方向に連続して延びる拡散開口が形成されていることを特徴とする請求項１に記載の船体摩擦抵抗低減装置。
【請求項３】
前記拡散板が配設された前記エアーチャンバの内部には、前記拡散板と前記エアーチャンバの内壁面との間に、４つの拡散開口が形成されていることを特徴とする請求項１に記載の船体摩擦抵抗低減装置。
【請求項４】
前記拡散板は、前記供給口対面領域を含むように形成された中央方形板と、前記一対の噴出孔対面領域を含むように形成された一対の側方方形板と、で構成され、
前記中央方形板および前記一対の側方方形板が配設された前記エアーチャンバの内部には、前記中央方形板と前記一対の側方方形板との間に形成された一対の拡散開口が形成されていることを特徴とする請求項１に記載の船体摩擦抵抗低減装置。
【発明の詳細な説明】
【技術分野】
【０００１】
本発明は、船底に形成された複数の空気噴出孔から気泡を発生させて船底に気泡膜を形成することにより、航行する船体の摩擦抵抗を低減する船体摩擦抵抗低減装置に関するものである。
【背景技術】
【０００２】
従来、船首部の底部の船内で船幅方向に形成された気体室を備えた船体摩擦抵抗低減装置が記載されている。この船体摩擦抵抗低減装置の気体室には、その頂壁に高圧気体供給管が接続される接続開口が形成され、また、気体室に対応する船底外板部分は切り欠かれて底板の無い底部開口となっている。このとき、気体室の内部には、接続開口からの高圧気体流を受けるためのバッフルプレートが配設されており、バッフルプレートを設けることにより、気体室に充満した高圧気体が、底部開口から水中へほぼ一様な状態で圧入される。
【０００３】
【特許文献１】特開２００８−１４３３４５号公報
【発明の開示】
【発明が解決しようとする課題】
【０００４】
ところで、従来の船体摩擦抵抗低減装置において、気体室は、その底部が底板の無い底部開口となっているが、通常、船体摩擦抵抗低減装置の気体室の底部には底板があり、その底板に多数の空気噴出孔が列設して形成されている。このような気体室に、従来のようなバッフルプレートを配設した場合、バッフルプレートの配設の仕方によっては、多数の空気噴出孔から噴出される空気の流量が一様とならない場合がある。
【０００５】
ここで、図１８ないし図２０を参照して、底板に多数の空気噴出孔を列設して形成された気体室（いわゆるエアーチャンバ）の内部に、従来のバッフルプレート（いわゆる拡散板）を配設した場合の、多数の空気噴出孔から噴出される空気の流量の均一性について検討する。なお、図１８は、特許文献１に係るエアーチャンバを模式的に表した斜視図であり、図１９は、図１８に示す特許文献１のエアーチャンバを切断面Ｅで切ったときの断面図であり、図２０は、特許文献１のエアーチャンバにおける、各空気噴出孔の位置と、各空気噴出孔から噴出される空気の流量と、の関係を表したグラフである。そして、図２０に示すグラフは、その縦軸が空気噴出量、その横軸が各空気噴出孔の位置となっている。
【０００６】
図１８および図１９に示すように、このエアーチャンバ２００は、長方体の箱状に形成されており、エアーチャンバ２００の底部（つまり船底）には、エアーチャンバ２００の長手方向に列設された多数の空気噴出孔２０１が形成され、エアーチャンバ２００の天壁中央付近には、空気供給口２０２が形成されている。そして、エアーチャンバ２００には、空気供給口２０２から送られてくる空気を受ける拡散板２０５が配設され、この拡散板２０５は、従来のバッフルプレートと略同様の位置に配設されている。そして、空気供給口２０２から空気を供給した結果、図１９のグラフに示すようになった。つまり、拡散板２０５の直下に位置する空気噴出孔２０２から噴出される空気の流量は少なくなっており、拡散板２０５から遠ざかるにつれて、空気の流量が増加してゆく。
【０００７】
以上の検討結果から、エアーチャンバ２００に従来のバッフルプレートと略同様の位置に拡散板２０５を設けたとしても、多数の空気噴出孔２０１から噴出される空気の流量を均一にすることは困難であることが分かった。これにより、空気の流量が均一でないと、船底に形成される気泡膜の膜厚を均一にすることが難しく、船体の摩擦抵抗の低減効果を十分に発揮させることが困難となる。
【０００８】
そこで、本発明は、エアーチャンバが配設された船底に形成された複数の空気噴出孔から均一に空気を噴出することが可能な船体摩擦抵抗低減装置を提供することを課題とする。
【課題を解決するための手段】
【０００９】
本発明の船体摩擦抵抗低減装置は、気泡を発生させて船底に気泡膜を形成することにより、航行する船体の摩擦抵抗を低減する船体摩擦抵抗低減装置において、船体内部の船底に配設され、空気供給口が形成されたエアーチャンバと、エアーチャンバの底部となる船底に列設して形成された複数の空気噴出孔と、エアーチャンバの内部に設けられ、空気供給口と複数の空気噴出孔との間に介在させた拡散板と、を備え、拡散板は、少なくとも、空気供給口に対面する供給口対面領域と、複数の空気噴出孔の配列方向の両端部に位置する空気噴出孔に対面する一対の噴出孔対面領域と、を含むように形成されていることを特徴とする。
【００１０】
この場合、拡散板は、供給口対面領域と、列設した全ての空気噴出孔に対面する全噴出孔対面領域と、を含むような方形の板状に形成され、拡散板が配設されたエアーチャンバの内部には、拡散板とエアーチャンバの内壁面との間に、配列方向に連続して延びる拡散開口が形成されていることが、好ましい。
【００１１】
また、この場合、拡散板が配設されたエアーチャンバの内部には、拡散板とエアーチャンバの内壁面との間に、４つの拡散開口が形成されていることが、好ましい。
【００１２】
また、この場合、拡散板は、供給口対面領域を含むように形成された中央方形板と、一対の噴出孔対面領域を含むように形成された一対の側方方形板と、で構成され、中央方形板および一対の側方方形板が配設されたエアーチャンバの内部には、中央方形板と一対の側方方形板との間に形成された一対の拡散開口が形成されていてもよい。
【発明の効果】
【００１３】
請求項１の船体摩擦抵抗低減装置によれば、少なくとも、供給口対面領域と、一対の噴出孔対面領域と、を含むように拡散板を形成することができる。このため、配列方向両側の空気噴出孔には、供給された空気が流れ込みにくくなる分、空気供給口の直下に位置する空気噴出孔に空気を流れ込み易くすることができる。これにより、複数の空気噴出孔から噴出される空気の流量を略均一とすることができる。
【００１４】
請求項２の船体摩擦抵抗低減装置によれば、拡散板を方形板で構成することで、拡散板の構成を簡易なものとすることができると共に、エアーチャンバ内部への拡散板の取り付けを簡単に行うことができる。
【００１５】
請求項３の船体摩擦抵抗低減装置によれば、拡散板を十字板で構成することで、十字板の中心を広く取ることができる。このため、空気供給口の口径が大きくなって供給口対面領域が拡大したとしても、十字板の中心を供給口対面領域に対応させることで、拡径した空気供給口の口径を許容することができる。
【００１６】
請求項４の船体摩擦抵抗低減装置によれば、拡散板を、中央方形板と一対の側方方形板とで構成することで、複数の空気噴出孔から噴出される空気の噴出量を好適に均一とすることができる。
【発明を実施するための最良の形態】
【００１７】
以下、添付した図面を参照して、本発明に係る船体摩擦抵抗低減装置について説明する。なお、この実施例によりこの発明が限定されるものではない。また、下記実施例における構成要素には、当業者が置換可能かつ容易なもの、或いは実質的に同一のものが含まれる。
【実施例１】
【００１８】
ここで、図１は、実施例１に係る船体摩擦抵抗低減装置を搭載した船体を模式的に表した側面図であり、図２は、実施例１に係る船体摩擦抵抗低減装置の構成に関する説明図である。また、図３は、拡散板が設けられていない従来のエアーチャンバを模式的に表した斜視図であり、図４は、従来のエアーチャンバにおける、各空気噴出孔の位置と、各空気噴出孔から噴出される空気の流量と、の関係を表したグラフである。さらに、図５は、実施例１に係る船体摩擦抵抗低減装置のエアーチャンバを模式的に表した斜視図であり、図６は、図５に示す実施例１のエアーチャンバを切断面Ａで切ったときの断面図である。そして、図７は、実施例１のエアーチャンバにおける、各空気噴出孔の位置と、各空気噴出孔から噴出される空気の流量と、の関係を表したグラフである。
【００１９】
実施例１に係る船体摩擦抵抗低減装置１０は、船底５に形成された複数の空気噴出孔１５から気泡を発生させて船底５に気泡膜を形成することにより、航行する船体１の摩擦抵抗を低減するものである。ここで、図１に示すように、船体摩擦抵抗低減装置１０が搭載された船体１は、例えば、船底５が平坦となる平底船であり、船体摩擦抵抗低減装置１０は、船体１の船首側に配設されている。なお、船体摩擦抵抗低減装置１０は、平底船に限らず、他の船舶にも適用可能である。
【００２０】
ここで、図１および図２を参照して、船体摩擦抵抗低減装置１０について説明する。船体摩擦抵抗低減装置１０は、船底５に形成された多数の空気噴出孔１５と、多数の空気噴出孔１５へ向けて空気を供給可能なブロア１６と、ブロア１６と多数の空気噴出孔１５とを接続する空気供給通路１７と、を有している。
【００２１】
多数の空気噴出孔は、船体１の船幅方向に並んで空気噴出孔群３０ａ，３０ｂ，３０ｂを構成しており、この空気噴出孔群３０ａ，３０ｂ，３０ｂは、船底５に複数（実施例１では、例えば３つ）形成されている。そして、３つの空気噴出孔群３０ａ，３０ｂ，３０ｂは、その１つが船首側の船幅方向中央に形成された中央空気噴出孔群３０ａであり、その他の２つが中央空気噴出孔群３０ａの船尾側に形成されると共に船幅方向の両側方に形成された一対の側方空気噴出孔群３０ｂ，３０ｂである。具体的に、中央空気噴出孔群３０ａは、船体１の船首側に配設され、一対の側方空気噴出孔群３０ｂ，３０ｂは、船体１の中央付近に形成されている。
【００２２】
ブロア１６は、船体１の船首側に配設されており、多数の空気噴出孔１５へ向けて空気を供給可能な空気供給源として機能している。そして、ブロア１６は、駆動源として電動モータ１９が用いられており、電動モータ１９の回転数を制御することで、ブロア１６から送出される空気の供給量を制御可能となっている。このとき、ブロア１６は、各側方空気噴出孔群３０ｂ，３０ｂに比して、中央空気噴出孔群３０ａとの設置距離が短くなっており、ブロア１６および中央空気噴出孔群３０ａは、共に船体１の船首側に配設されている。なお、空気供給源は、ブロア１６に限らず、例えば、エアーコンプレッサ等を用いてもよい。また、実施例１では、単体のブロア１６で構成したが、これに限らず、複数のブロア１６で構成してもよい。
【００２３】
空気供給通路１７は、一端をブロア１６に接続した主供給管２０と、主供給管２０に接続された複数の分岐供給管２１と、複数の分岐供給管２１に接続された複数のエアーチャンバ２２と、を有しており、主供給管２０には、一次エアタンク２３が介設されている。すなわち、主供給管２０は、ブロア１６と一次エアタンク２３とを接続する上流側主供給管２０ａと、一次エアタンク２３と複数の分岐供給管２１とを接続する下流側主供給管２０ｂと、で構成されている。そして、下流側主供給管２０ｂには、下流側主供給管２０ｂ内を流れる空気の流量を計測する空気流量計２４が介設され、また、各分岐供給管２１には、管路を開閉する開閉弁２５がそれぞれ介設されている。
【００２４】
一次エアタンク２３は、上流側主供給管２０ａを介してブロア１６から供給される空気を貯留可能に構成されている。そして、主供給管２０に一次エアタンク２３を介設することで、ブロア１６および上流側主供給管２０ａで発生する空気の圧力変動（いわゆる空気の脈動）を緩和することが可能となっている。
【００２５】
複数のエアーチャンバ２２は、長方体の箱状に形成されると共に、船底５に形成された多数の空気噴出孔１５に対応して配設されている。つまり、各エアーチャンバ２２の底面（すなわち、船底）には、複数の空気噴出孔１５が形成されている。また、各エアーチャンバ２２は、その天壁面の略中央部に、各分岐供給管２１が接続される空気供給口２８が形成される（図５参照）。そして、複数のエアーチャンバ２２は、中央空気噴出孔群３０ａに対応する複数の中央側エアーチャンバ２２ａと、一対の側方空気噴出孔群３０ｂ，３０ｂに対応する複数の側方側エアーチャンバ２２ｂと、で構成されている。
【００２６】
複数の中央側エアーチャンバ２２ａは、長方体となる箱状に形成され、その長手方向を船幅方向と一致させると共に、船幅方向に並べて配設されている。そして、ブロア１６から複数の中央側エアーチャンバ２２ａに空気を供給することで、中央空気噴出孔群３０ａから空気を噴出させ、気泡を発生させる。
【００２７】
複数の側方側エアーチャンバ２２ｂは、複数の中央側エアーチャンバ２２ａと同様に、長方体となる箱状に形成され、その長手方向を船幅方向と一致させると共に、船幅方向に並べて配設されている。このとき、複数の側方側エアーチャンバ２２ｂは、一対の側方空気噴出孔１５に対応して二分されている。そして、ブロア１６から二分された複数の側方側エアーチャンバ２２ｂのそれぞれに空気を供給することで、一対の側方空気噴出孔群３０ｂ，３０ｂから空気を噴出させ、気泡を発生させる。
【００２８】
空気流量計２４は、上記したように、下流側主供給管２０ｂ内を流れる空気の流量を計測しており、この空気流量計２４の計測結果に基づいて、ブロア１６から供給する空気の供給量を制御している。
【００２９】
複数の分岐供給管２１に介設された複数の開閉弁２５は、いわゆる逆止弁として機能しており、開閉弁２５から上流側の空気供給通路１７内への海水の浸入を防止するために配設されている。具体的に、船体摩擦抵抗低減装置１０の作動を停止させる、すなわちブロア１６の駆動を停止させると、各空気噴出孔１５からの空気の噴射は停止する。このため、各空気噴出孔１５を介して各エアーチャンバ２２内に海水が流入する。このとき、各エアーチャンバ２２は各分岐供給管２１と連通しているため、開閉弁２５を閉塞することにより、開閉弁２５より上流側の各分岐供給管２１に海水が浸入することを防止している。
【００３０】
従って、ブロア１６を駆動させると、ブロア１６から吹き出された空気は、上流側主供給管２０ａを介して一次エアタンク２３に流入し、この後、下流側主供給管２０ｂおよび複数の分岐供給管２１を介して各エアーチャンバ２２に流入する。このとき、ブロア１６は、空気流量計２４の計測結果に基づいて電動モータ１９が制御されることにより、その空気供給量が調整される。そして、各エアーチャンバ２２に空気が流入すると、空気は各空気噴出孔１５を介して水中に噴射され、船底５から気泡を生じさせる。
【００３１】
次に、本発明の特徴部分である複数のエアーチャンバ２２について説明する。上記したように、船体１の底部に配設した各エアーチャンバ２２に対応する船底５には、複数の空気噴出孔１５が船幅方向に並んで貫通形成されている。このとき、図１８および図１９に示すように、特許文献１に記載のバッフルプレートと略同じ位置に拡散板２０５を配設しても、複数の空気噴出孔２０１から噴出される空気の流量を均一にすることが難しいことは、図２０のグラフに示す通りである。
【００３２】
そこで、実施例１の船体摩擦抵抗低減装置１０では、図５および図６に示すように、各エアーチャンバ２２の内部に、長方形の拡散板３５を配設している。以下、この拡散板３５について説明する。長方形に形成された拡散板３５は、その長手方向が船幅方向となっており、各エアーチャンバ２２の長手方向と同方向となっている。そして、拡散板３５は、船底５と平行となるように配設されている。
【００３３】
また、拡散板３５は、エアーチャンバ２２に形成された空気供給口２８に対面するように配設されると共に、列設された全ての空気噴出孔１５に対面するように配設されている。つまり、この拡散板３５は、空気供給口２８に対面する供給口対面領域Ｓ１と、全ての空気噴出孔１５に対面する全噴出孔対面領域Ｓ３と、を含むように形成されている。このとき、全噴出孔対面域Ｓ３は、複数の空気噴出孔１５の船幅方向（配列方向）の両端部に位置する空気噴出孔１５に対面する一対の噴出孔対面領域Ｓ２，Ｓ２を含んでいる。
【００３４】
拡散板３５の船幅方向における両端部は、エアーチャンバ２２の内壁に取り付けられており、拡散板３５の船長方向における両端部は、自由端となっている。このため、船長方向において、エアーチャンバ２２の両内壁と拡散板３５との間には、船幅方向に延びる一対のスリット開口３８，３８（拡散開口）が形成されている。なお、この拡散板３５は、船幅方向の両端部をエアーチャンバ２２の内壁に取り付けるだけであるため、拡散板３５の取付作業を容易に行うことができ、また、拡散板３５は長方形であるため、拡散板３５自体の構成を簡易なものとすることができる。
【００３５】
従って、空気供給口２８を介して供給された空気は、拡散板３５に吹き当たることで、拡散板３５に沿って流れ、この後、一対のスリット開口３８，３８を介して、各空気噴出孔１５に向けて流れる。この結果、複数の空気噴出孔１５から噴出される空気の流量は、図７に示すグラフのようになった。
【００３６】
ここで、図３および図４を参照して、拡散板３５を設けていないエアーチャンバ２２を介して複数の空気噴出孔１５から噴出される空気の流量の均一性について検討する。また、図４に示すグラフと、図７に示すグラフとを比較すると共に、図２０に示すグラフと、図７に示すグラフとを比較する。
【００３７】
図３に示すように、このエアーチャンバ２２は、拡散板３５を配設していない従来のエアーチャンバ２２であり、その構成は、実施例１に記載のエアーチャンバと同様の構成となっている。このため、図３に示すエアーチャンバ２２の説明を省略する。このようなエアーチャンバに２２に空気供給口２８を介して空気が供給された場合、複数の空気噴出孔１５から噴出される空気の流量は、図４に示す通り均一となっていない。
【００３８】
図４を参照して、具体的に説明すると、このグラフは、その縦軸が空気の流量となっており、その横軸が各空気噴出孔１５の位置となっている。つまり、横軸は、列設された複数の空気噴出孔１５に対し、船幅方向の一方の端部側の空気噴出孔１５から他方の端部側の空気噴出孔１５までを、順番にナンバリングしたものである。そして、横軸の第１０の空気噴出孔１５は、空気供給口２８の直下に位置する空気噴出孔１５となっている。
【００３９】
そして、図４に示すグラフでは、その第１０の空気噴出孔１５から噴出される空気の流量が最も多くなっており、この空気噴出孔１５から両端部の空気噴出孔１５へ向かうにつれて噴出される空気の流量が減少してゆく。よって、図３に示すエアーチャンバ２２では、複数の空気噴出孔１５から噴出される空気を均一にすることができない。
【００４０】
ここで、図４に示すグラフと図７に示すグラフとを比較するに、図４のグラフに比して、図７のグラフは、空気供給口２８の直下に位置する空気噴出孔１５から噴出される空気の流量が減少し、船幅方向の両端側に位置する空気噴出孔１５から噴出される空気の流量が増加した。すなわち、図７に示すグラフは図４に示すグラフに比して均一化した。
【００４１】
一方、図７に示すグラフと図２０に示すグラフとを比較するに、図２０のグラフに比して、図７のグラフは、空気供給口２８の直下に位置する空気噴出孔１５から噴出される空気の流量が増加し、船幅方向の両端側に位置する空気噴出孔１５から噴出される空気の流量が減少した。すなわち、図７に示すグラフは図２０に示すグラフに比して均一化した。
【００４２】
以上の構成によれば、長方形の拡散板３５の長手方向を複数の空気噴出孔１５の配列方向と同方向とし、拡散板３５と複数の空気噴出孔１５とを対面させ、且つ拡散板３５と空気供給口２８とを対面させることにより、エアーチャンバ２２の両内壁と拡散板３５との間に一対のスリット開口３８，３８を形成することができる。これにより、空気供給口２８を介して供給された空気を、一対のスリット開口３８，３８を介して、複数の空気噴出孔１５へ向けて供給することにより、複数の空気噴出孔１５から噴出される空気の流量を略均一とすることができる。よって、船底５に形成される気泡膜の膜厚を均一にすることが容易となるため、船体１の摩擦抵抗の低減効果を十分に発揮させることができる。
【００４３】
また、拡散板３５を長方形の板状に構成したため、拡散板３５の構成を簡易なものとすることができると共に、エアーチャンバ２２内部への拡散板３５の取り付けを簡単に行うことができる。
【実施例２】
【００４４】
次に、図８ないし図１０を参照して、実施例２に係る船体摩擦抵抗低減装置５０について説明する。なお、重複した記載を避けるべく、異なる部分についてのみ説明する。図８は、実施例２に係る船体摩擦抵抗低減装置のエアーチャンバを模式的に表した斜視図であり、図９は、図８に示す実施例２のエアーチャンバを切断面Ｂで切ったときの断面図であり、図１０は、実施例２のエアーチャンバにおける、各空気噴出孔の位置と、各空気噴出孔から噴出される空気の流量と、の関係を表したグラフである。実施例２の船体摩擦抵抗低減装置５０は、そのエアーチャンバ２２に設けられた拡散板５５が、十字形の板状に構成されている。
【００４５】
具体的に、十字形に形成された拡散板５５は、船幅方向に長手となる方形板と、船長方向に短手となる方形板とを交差させたような構成となっており、船底５と平行となるように配設されている。つまり、この拡散板５５は、図１９に示す拡散板２０５と、図６に示す拡散板３５と、を組み合わせたような構成となっている。
【００４６】
また、拡散板５５は、その交差部分の中央が空気供給口２８に対面するように配設され、また、列設された全ての空気噴出孔１５に対面するように配設されている。つまり、この拡散板５５は、空気供給口２８に対面する供給口対面領域Ｓ１と、全ての空気噴出孔１５に対面する全噴出孔対面領域Ｓ３と、を含むように形成され、さらに、拡散板５５は、実施例１の一対のスリット開口３８，３８の船幅方向中央の中央領域Ｓ４を含むように形成されている。
【００４７】
拡散板５５の船幅方向における両端部は、エアーチャンバ２２の内壁に取り付けられており、拡散板５５の船長方向における両端部も、エアーチャンバ２２の内壁に取り付けられている。このため、エアーチャンバ２２の内壁角部５６と拡散板５５との間には、４つのスリット開口５８，５８，５８，５８（拡散開口）が形成され、各スリット開口は、船幅方向に延びるように形成されている。
【００４８】
従って、空気供給口２８を介して供給された空気は、拡散板５５に吹き当たることで、拡散板５５に沿って流れ、この後、４つのスリット開口５８，５８，５８，５８を介して、各空気噴出孔１５に向けて流れる。この結果、複数の空気噴出孔１５から噴出される空気の流量は、図１０に示すグラフのようになった。すなわち、図１０に示すグラフは、図４に示すグラフに比して均一化しており、また、図２０に示すグラフに比して均一化している。
【００４９】
以上の構成においても、十字形の拡散板５５と全ての空気噴出孔１５とを対面させ、且つ拡散板５５と空気供給口２８とを対面させることにより、エアーチャンバ２２の内壁角部５６と拡散板５５との間に４つのスリット開口５８，５８，５８，５８を形成することができる。これにより、空気供給口２８を介して供給された空気を、４つのスリット開口５８，５８，５８，５８を介して、複数の空気噴出孔１５へ向けて供給することにより、複数の空気噴出孔１５から噴出される空気の流量を略均一とすることができる。なお、実施例２では、拡散板５５を十字形に形成し、各スリット開口５８を方形としたが、例えば、スリット開口５８を三角形とし、拡散板５５を菱形あるいは八角形に形成してもよい。
【実施例３】
【００５０】
次に、図１１ないし図１３を参照して、実施例３に係る船体摩擦抵抗低減装置８０について説明する。なお、この場合も、重複した記載を避けるべく、異なる部分についてのみ説明する。図１１は、実施例３に係る船体摩擦抵抗低減装置のエアーチャンバを模式的に表した斜視図であり、図１２は、図１１に示す実施例３のエアーチャンバを切断面Ｃで切ったときの断面図であり、図１２は、実施例３のエアーチャンバにおける、各空気噴出孔の位置と、各空気噴出孔から噴出される空気の流量と、の関係を表したグラフである。実施例３の船体摩擦抵抗低減装置８０は、そのエアーチャンバ２２に設けられた拡散板８５が、供給口対面領域Ｓ１を含むように形成された中央方形板８７と、一対の噴出孔対面領域Ｓ２，Ｓ２を含むように形成された一対の側方方形板８８，８８と、で構成されている。
【００５１】
具体的に、中央方形板８７は、船幅方向に長手となる長方形の板状に形成されており、空気供給口２８に対面するように配設され、船底５と平行となるように配設されている。そして、中央方形板８７の船幅方向における両端部は、自由端となっており、中央方形板８７の船長方向における両端部は、エアーチャンバ２２の内壁に取り付けられている。
【００５２】
一方、一対の側方方形板８８，８８は、船長方向に長手となる長方形の板状に形成されており、列設した複数の空気噴出孔において、船幅方向両端部の一対の空気噴出孔にそれぞれ対面するように配設され、船底５と平行となるように配設されている。そして、各側方方形板８８の船幅方向における両端部は、その一方がエアーチャンバの内壁に取り付けられ、その他方が自由端となっており、各側方方形板８８の船長方向における両端部は、エアーチャンバ２２の内壁に取り付けられている。
【００５３】
そして、中央方形板８７および一対の側方方形板８８，８８は、同平面内に配設されている。このため、中央方形板８７と一対の側方方形板８８，８８との間には、一対の拡散開口８９，８９が形成されている。つまり、この拡散板８５は、中央方形板８７の船幅方向両端部に、一対の拡散開口８９，８９を介して、一対の側方方形板８８，８８が配設された構成となっている。
【００５４】
従って、空気供給口２８を介して供給された空気は、中央方形板８７に吹き当たることで、中央方形板８７に沿って流れ、この後、一対の拡散開口８９，８９を介して、各空気噴出孔１５に向けて流れる。この結果、複数の空気噴出孔１５から噴出される空気の流量は、図１３に示すグラフのようになった。すなわち、図１３に示すグラフは、図４に示すグラフに比して均一化しており、また、図２０に示すグラフに比して均一化している。
【００５５】
以上の構成においても、中央方形板８７と空気供給口２８とを対面させ、一対の側方方形板８８，８８と配列方向両端の空気噴出孔１５とを対面させることにより、中央方形板８７と一対の側方方形板８８，８８との間に一対の拡散開口８９，８９を形成することができる。これにより、空気供給口２８を介して供給された空気を、一対の拡散開口８９，８９を介して、複数の空気噴出孔１５へ向けて供給することにより、複数の空気噴出孔１５から噴出される空気の流量を略均一とすることができる。
【００５６】
なお、実施例３では、中央方形板８７と一対の側方方形板８８，８８とを同一面内において配設したが、同一面内に直交する鉛直方向に中央方形板８７と一対の側方方形板８８，８８とをずらして配設してもよい。
【実施例４】
【００５７】
次に、図１４ないし図１７を参照して、実施例４に係る船体摩擦抵抗低減装置１００について説明する。なお、この場合も、重複した記載を避けるべく、異なる部分についてのみ説明する。図１４は、実施例４に係る船体摩擦抵抗低減装置のエアーチャンバを模式的に表した斜視図であり、図１５は、図１４に示す実施例４のエアーチャンバを切断面Ｄで切ったときの断面図であり、図１６は、実施例４のエアーチャンバにおける、各空気噴出孔の位置と、各空気噴出孔から噴出される空気の流量と、の関係を表したグラフである。また、図１７は、多孔板の開口率を変化させた場合の実施例４のエアーチャンバにおける、各空気噴出孔の位置と、各空気噴出孔から噴出される空気の流量と、の関係を表したグラフである。実施例４の船体摩擦抵抗低減装置１００は、そのエアーチャンバ２２に設けられた拡散板１０５が、多孔板で構成されている。
【００５８】
具体的に、拡散板１０５は、長方形の板状に形成され、その表面には多数の貫通孔１０６が形成されており、船底５と平行となるように配設されている。また、拡散板１０５は、空気供給口２８に対面するように配設され、また、列設された全ての空気噴出孔１５に対面するように配設されている。そして、拡散板１０５は、その船幅方向における両端部を、エアーチャンバ２２の内壁に取り付けられ、その船長方向における両端部も、エアーチャンバ２２の内壁に取り付けられている。つまり、拡散板１０５は、エアーチャンバ２２内を鉛直方向において二層に分けるように配設されている。
【００５９】
従って、空気供給口２８を介して供給された空気は、拡散板１０５に吹き当たることで、その一部が拡散板１０５に沿って流れると共に、その一部が各貫通孔１０６を介して、各空気噴出孔１５に向けて流れる。この結果、複数の空気噴出孔１５から噴出される空気の流量は、図１６に示すグラフのようになった。すなわち、図１６に示すグラフは、図４に示すグラフに比して均一化しており、また、図２０に示すグラフに比して均一化している。また、図１７に示すグラフから分かるように、多孔板となる拡散板１０５の開口率を変化させた場合、開口率３％〜５０％の間となる多孔板を用いることが好ましいことが分かった。
【００６０】
以上の構成においても、多孔板となる拡散板１０５と、空気供給口２８および全ての空気噴出孔１５とを対面させることにより、複数の貫通孔１０６を介して、空気を複数の空気噴出孔１５へ向けて供給することができる。これにより、空気供給口２８を介して供給された空気を、複数の貫通孔１０６を介して、複数の空気噴出孔１５へ向けて供給することにより、複数の空気噴出孔１５から噴出される空気の流量を略均一とすることができる。
【００６１】
なお、図示は省略するが、変形例として、拡散板を、中空半球状に形成すると共にその表面に複数の貫通孔を形成し、この拡散板の円形の開口部を、空気供給口２８に対向するように配設してもよい。つまり、この拡散板は、お椀形状に形成された放射型の多孔板として構成されている。この構成によれば、空気供給口２８を介して供給された空気は、拡散板の複数の貫通孔を通過することにより、エアーチャンバ２２内において放射状に供給される。これにより、複数の空気噴出孔１５から噴出される空気の流量を略均一とすることができる。また、実施例４では、多孔板となる拡散板１０５を１つのみ配設したが、鉛直方向に重ねて複数配設してもよい。これにより、エアーチャンバ２２内を拡散板１０５で断層的に区切ることで、空間的な空気分散ルートを確立することができ、複数の空気噴出孔１５から噴出される空気の流量を略均一とすることができる。
【００６２】
また、実施例１ないし４では、空気供給口２８をエアーチャンバ２２の天壁面に形成したが、これに限らず、側壁面に形成してもよい。なお、この場合、拡散板は、空気供給口２８と複数の空気噴出孔１５との間に介在するように配設位置を適宜調整する必要がある。
【産業上の利用可能性】
【００６３】
以上のように、本発明に係る船体摩擦抵抗低減装置は、船体の船底に複数の空気噴出孔を形成するものにおいて有用であり、特に、複数の空気噴出孔から均一に空気を噴出する場合に適している。
【図面の簡単な説明】
【００６４】
【図１】実施例１に係る船体摩擦抵抗低減装置を搭載した船体を模式的に表した側面図である。
【図２】実施例１に係る船体摩擦抵抗低減装置の構成に関する説明図である。
【図３】拡散板が設けられていない従来のエアーチャンバを模式的に表した斜視図である。
【図４】従来のエアーチャンバにおける、各空気噴出孔の位置と、各空気噴出孔から噴出される空気の流量と、の関係を表したグラフである。
【図５】実施例１に係る船体摩擦抵抗低減装置のエアーチャンバを模式的に表した斜視図である。
【図６】図５に示す実施例１のエアーチャンバを切断面Ａで切ったときの断面図である。
【図７】実施例１のエアーチャンバにおける、各空気噴出孔の位置と、各空気噴出孔から噴出される空気の流量と、の関係を表したグラフである。
【図８】実施例２に係る船体摩擦抵抗低減装置のエアーチャンバを模式的に表した斜視図である。
【図９】図８に示す実施例２のエアーチャンバを切断面Ｂで切ったときの断面図である。
【図１０】実施例２のエアーチャンバにおける、各空気噴出孔の位置と、各空気噴出孔から噴出される空気の流量と、の関係を表したグラフである。
【図１１】実施例３に係る船体摩擦抵抗低減装置のエアーチャンバを模式的に表した斜視図である。
【図１２】図１１に示す実施例３のエアーチャンバを切断面Ｃで切ったときの断面図である。
【図１３】実施例３のエアーチャンバにおける、各空気噴出孔の位置と、各空気噴出孔から噴出される空気の流量と、の関係を表したグラフである。
【図１４】実施例４に係る船体摩擦抵抗低減装置のエアーチャンバを模式的に表した斜視図である。
【図１５】図１４に示す実施例４のエアーチャンバを切断面Ｄで切ったときの断面図である。
【図１６】実施例４のエアーチャンバにおける、各空気噴出孔の位置と、各空気噴出孔から噴出される空気の流量と、の関係を表したグラフである。
【図１７】多孔板の開口率を変化させた場合の実施例４のエアーチャンバにおける、各空気噴出孔の位置と、各空気噴出孔から噴出される空気の流量と、の関係を表したグラフである。
【図１８】特許文献１に係るエアーチャンバを模式的に表した斜視図であ
【図１９】図１７に示す特許文献１のエアーチャンバを切断面Ｅで切ったときの断面図である。
【図２０】特許文献１のエアーチャンバにおける、各空気噴出孔の位置と、各空気噴出孔から噴出される空気の流量と、の関係を表したグラフである。
【符号の説明】
【００６５】
１      船体
５      船底
１０    船体摩擦抵抗低減装置
１５    空気噴出孔
１６    ブロア
１７    空気供給通路
２０    主供給管
２１    分岐供給管
２２    エアーチャンバ
２２ａ  中央側エアーチャンバ
２２ｂ  側方側エアーチャンバ
２３    一次エアタンク
２４    空気流量計
２５    開閉弁
２８    空気供給口
３０ａ  中央空気噴出孔群
３０ｂ  側方空気噴出孔群
３５    拡散板
３８    スリット開口
５０    船体摩擦抵抗低減装置（実施例２）
５５    拡散板（実施例２）
５６    内壁角部
５８    スリット開口（実施例２）
８０    船体摩擦抵抗低減装置（実施例３）
８５    拡散板（実施例３）
８７    中央方形板
８８    側方方形板
８９    拡散開口
１００  船体摩擦抵抗低減装置（実施例４）
１０５  拡散板（実施例４）
１０６  貫通孔
Ｓ１    供給口対面領域
Ｓ２    噴出孔対面領域
Ｓ３    全噴出孔対面領域
Ｓ４    中央領域
【図１】
2010120609.tif 000003
【図２】
2010120609.tif 000004
【図３】
2010120609.tif 000005
【図４】
2010120609.tif 000006
【図５】
2010120609.tif 000007
【図６】
2010120609.tif 000008
【図７】
2010120609.tif 000009
【図８】
2010120609.tif 000010
【図９】
2010120609.tif 000011
【図１０】
2010120609.tif 000012
【図１１】
2010120609.tif 000013
【図１２】
2010120609.tif 000014
【図１３】
2010120609.tif 000015
【図１４】
2010120609.tif 000016
【図１５】
2010120609.tif 000017
【図１６】
2010120609.tif 000018
【図１７】
2010120609.tif 000019
【図１８】
2010120609.tif 000020
【図１９】
2010120609.tif 000021
【図２０】
2010120609.tif 000022